(57)【特許請求の範囲】
【請求項１】
バックライトの輝度レベルを調整する輝度制御手段と、スピーカの音量レベルを制御する音量制御手段と、を備えた液晶テレビジョンであって、
周囲の明るさと周囲の静けさとからなる環境条件毎に輝度レベルと音量レベルとの相関関係を記憶しておき、環境条件を判定し、判定された環境条件に基づき、一対の輝度レベルと音量レベルとを算出する相関処理手段と、を備え、
前記輝度レベルと、前記音量レベルとを所望のレベルに調整する際に、どちらかのレベルを定めたときに他方のレベルを前記相関処理手段により算出し、前記輝度制御手段と前記音量制御手段とは、該算出された一対の前記輝度レベル及び前記音量レベルを同時に設定して、適切な消費電力となるようにしたことを特徴とする液晶テレビジョン。
【請求項２】
前記相関処理手段は、前記環境条件に応じて前記関数演算のパラメータを記憶することを特徴とする請求項１に記載の液晶テレビジョン。
【請求項３】
前記相関処理手段は、ユーザのリモコン操作により前記一対の輝度レベルと前記音量レベルとが入力された場合には、関数演算に基づいて算出された一対の輝度レベルと音量レベルとに変えて、入力された値を出力することを特徴とする請求項２に記載の液晶テレビジョン。
【発明の詳細な説明】
【技術分野】
【０００１】
本発明は、環境に応じて、輝度調整と音量調整を同時に調整する機能を有する液晶テレビジョンに関する。
【背景技術】
【０００２】
従来、液晶テレビジョン等のテレビジョン受像機において、視聴する環境に応じて、バックライトの輝度レベルを調整することにより、明るさを調整し、最終的に液晶テレビジョン（以下、液晶テレビと称する）の消費電力の低減化を図る技術が公開されている（特許文献１参照）。
【０００３】
上記に示す「環境」とは、例えば、周囲光の明るさ等をあげることができ、上記特許文献１では、フォトセンサにより周囲光の明るさを検出し、この明るさの情報に応じて、バックライトの輝度を追随させ、液晶表示面において周囲光に負けない視認性を獲得しつつ、低電力化を図る構成についての技術を開示している。
【０００４】
このように、従来では、消費電力の低減化は、バックライトの適切な輝度レベルの制御により無駄な電力を省くことが主として行われている。
【特許文献１】特開２００３−２７０６１３号公報
【特許文献２】特開平１１−９７１９６号公報
【発明の開示】
【発明が解決しようとする課題】
【０００５】
しかしながら、映像と音声の２つの情報源を有する液晶テレビ等のＡＶ機器では、上述したような、音量の制御を行わないバックライトの輝度レベルのみの制御では、映像関係の省電力のための操作と音声関係の省電力のための操作に分け、しかも、反復操作を行わざるを得なく、適切な消費電力になるように設定するにあたって、操作性が悪いという問題がある。
【０００６】
また、通常の家庭における環境条件として、リビング、キッチン等の設置場所、昼・夜・深夜の時間帯、さらに、音楽、映画、スポーツ、コマーシャル等の放送されるコンテンツ等があげられるが、これらの環境条件によっては、映像の輝度の減少と音量の減少とに強い相関がある場合には、従来の技術では、このような考慮が行われておらず、適切な省電力化が行われていない場合がある。
【０００７】
そこで、本発明は、斯かる実情に鑑みて、提案されたもので、映像の輝度と音量の大きさを同時に制御する液晶テレビジョンを提供しようとするものである。
【課題を解決するための手段】
【０００８】
上記課題を解決するために、本発明に係る液晶テレビジョンは、以下の特徴を備えている。
【０００９】
本発明に係る液晶テレビジョンは、バックライトの輝度レベルを調整する輝度制御手段と、スピーカの音量レベルを制御する音量制御手段と、を備えた液晶テレビジョンであって、
周囲の明るさと周囲の静けさとからなる環境条件毎に輝度レベルと音量レベルとの相関関係を記憶しておき、環境条件を判定し、判定された環境条件に基づき、一対の輝度レベルと音量レベルとを算出する相関処理手段と、を備え、
前記輝度レベルと、前記音量レベルとを所望のレベルに調整する際に、どちらかのレベルを定めたときに他方のレベルを前記相関処理手段により算出し、前記輝度制御手段と前記音量制御手段とは、該算出された一対の前記輝度レベル及び前記音量レベルを同時に設定して、適切な消費電力となるようにしたことを特徴とする。
【００１０】
また、本発明に係る液晶テレビジョンにおいて、前記相関処理手段は、前記環境条件に応じて前記関数演算のパラメータを記憶することを特徴とする。
【００１１】
また、本発明に係る液晶テレビジョンにおいて、前記相関処理手段は、ユーザのリモコン操作により前記一対の輝度レベルと前記音量レベルとが入力された場合には、関数演算に基づいて算出された一対の輝度レベルと音量レベルとに変えて、入力された値を出力することを特徴とする。
【発明の効果】
【００１３】
以上説明したように、本発明に係る液晶テレビジョンによれば、映像の輝度と音量の大きさを同時に制御することにより、適切な省電力化を図ることが可能であり、ユーザの操作性を簡易化する優れた効果を奏し得る。
【００１４】
また、本発明に係る液晶テレビジョンによれば、映像の輝度レベルと音量レベルの相関性を考慮して、周囲の環境条件に対応した適切な省電力化を図ることが可能である。
【発明を実施するための最良の形態】
【００１５】
以下、本発明に係る液晶テレビの実施形態について添付図面を参照して説明する。
【００１６】
図１は、本発明に係る液晶テレビの基本ブロック図である。
【００１７】
まず、図１に基づいて、本発明に係る液晶テレビの基本構成について、説明する。
【００１８】
図１に示すように、本発明に係る液晶テレビは、放送受信波を受信するアンテナからの受信信号を入力し、選局等を行うチューナ１０と、チューナ１０からの周波数変換等を施された信号を入力し、この信号を検波して映像、音声信号を抽出する検波回路１１と、映像信号を入力し、表示部１５を駆動する処理を行う映像処理回路１４と、同様に、音声信号を入力し、スピーカ１３等を駆動する処理を行う音声処理回路１２と、映像処理回路１４及び音声処理回路１２を制御して、消費電力の制御を行うとともに、本装置の全体の制御を司る制御部（マイコン）１６と、ユーザにより操作され、操作画面等の操作を行うリモコン１８と、リモコン１８の信号を受信し、制御部１６に情報を送る受光回路１７と、周囲の環境の情報を得るためのセンサ１９と、を備えて構成される。
【００１９】
また、制御部１６には、主として消費電力の制御を行うための輝度制御手段、音量制御手段、相関処理手段および操作画面制御手段が備えられている。
【００２０】
次に、上記のような構成を有する液晶テレビの省電力化を行うための基本動作概念について、詳細な動作を説明する前に以下に説明する。
【００２１】
図１のブロック図で示すように、視聴するユーザの周囲の環境に応じて、省電力を行うことが可能な部位としては、主として、映像を表示している表示部１５の駆動部（図示していない）と、音声処理回路１２の音声出力部（図示していない）の２つの部位が上げられる。
【００２２】
従来技術について上述したように、表示部１５の駆動部の省電力動作については、映像処理回路１４を制御し、バックライトの輝度レベルを下げることによって行われる。
【００２３】
一方、音声出力部の省電力動作については、単純にユーザのリモコン１８の操作により、音声レベルを下げることで行われる。
【００２４】
従来の技術では、上記に示したように、２つの動作を独立に行う必要があり、操作性と即応性に欠ける。そこで、本実施形態では、ワンタッチで、例えば、（音量Ａ、輝度レベルＡ）のような関係になるように、２つの動作を同時に行うことで、操作性の単純化を図るとともに、即応性のある動作を行うものである。
【００２５】
音量レベルと輝度レベルの複数の組み合わせを予めテーブルとして保持しておき、動作時に、このテーブルから１つの組み合わせの設定値を読み出すことによって、種々の周囲環境に対応することができる。
【００２６】
さらに、上記動作を行う場合に、周囲の環境状態において、２つの変数である輝度レベルと音声レベルにかなり強い相関性がある場合に、この相関性を利用して、上記２つの変数を同時に変化させる動作を行い、適切な設定値に即時に設定することができるようにしたものである。
【００２７】
図２は、音量レベルと輝度レベルが線形的な相関性を有する場合を示した図である。
【００２８】
次に、図２に示したグラフの内容を説明するとともに、周囲環境と相関性との関係を以下に説明する。
【００２９】
図２には、音量と輝度との２つの線形の相関関係を示しているグラフであるが、１つは、音量Ａに対して輝度Ａの点を通過し傾きがｋ１の直線と、もうひとつは、音量Ｂに対して輝度Ｂの点を通過し傾きがｋ２の直線を表示している。
【００３０】
上記のような相関があるような周囲環境としては、例えば、深夜で、周囲の明るさが暗いような場合において、輝度と音量をその相関関係を保持しながら、微調整して下げることができ、これにより、動作状況に応じて適切な省エネを図ることが可能である。
【００３１】
例えば、傾きがｋ２の直線で見ると、上記の状態での標準値が輝度、音量ともＡ値であるとすると、音量をＡからＡＨに調整すると、輝度をＡからＡＨに調整する。
【００３２】
また、同様に、音量をＡＬからＡＬに調整すると、輝度をＡからＡＬに調整する。このようにして、相関関係を保持しながら、微調整して、所望の値に両者を決定することが可能である。
【００３３】
なお、傾きがｋ１の直線、傾きがｋ２の直線のどちらを選択すべきかであるが、音量レベルを所定のレベルに固定した場合、輝度レベルを大きくさせる環境の場合にｋ１の直線を選択し、輝度をそれほど大きくする必要がない環境条件の場合には、ｋ２の直線を選択することになる。
【００３４】
なお、図２では、直線を示しているが、２関数やその他非線形の関数であってもよい。
【００３５】
次に、図２において、例えば、指定された値に設定することも可能である。すなわち、極端な設定の組み合わせとして、音量レベルが「Ａ」に対して、輝度レベルが「０」のような場合が考えられる。このような、コンテンツ環境として、例えば、音楽である場合、映像の情報は必要なく、ハイファイの音声情報のみでよい場合があげられる。
【００３６】
また、音量レベルが「０」で、輝度レベルが「Ａ」のような場合も考えられる。
【００３７】
上記に示した傾きｋ１、ｋ２又は種々の組み合わせの設定値の指定方法について説明する。
【００３８】
図１に示したブロック図において、周囲の環境状態をセンスするセンサ１９により、環境状態の情報を取得する。センサ１９としては、例えば、周囲の明るさを感知するフォトセンサや周囲の音量を感知する小型のマイクロフォン、さらに、時刻情報を取得する時計等が上げられる。
【００３９】
これらのセンサ１９からの情報に基づいて、制御部１６の相関処理手段により、予めテーブルに記憶しておいた設定値を、読み出して表示する。
【００４０】
また、操作パネル上に設定値の一覧表を最初に表示しておき、ユーザが選択するようにしてもよい。
【００４１】
以上のように、選択された設定値（標準値）に対して、さらに、手動で調整することも可能であり、ユーザによりリモコンを介して、入力した任意に組み合わせの設定値に調整することも可能であり、省電力を行う際の操作性の簡易化と即応性の両面に対処することができる。
【００４２】
次に、本実施形態に係る液晶テレビの省電力の動作について図３を用いて説明する。
【００４３】
図３は、本実施形態に係る液晶テレビの動作を説明するフローチャートである。
【００４４】
制御部１６の操作パネル制御手段は、メニュー表示指示かどうかを判断する（ステップＳ１０）。メニュー指示でない場合（ステップＳ１０；ｎｏ）は、処理を終了し、メニュー指示である場合（ステップＳ１０；ｙｅｓ）は、操作メニューを表示する（ステップＳ１１）。
【００４５】
次に、制御部１６の操作パネル制御手段は、エコモード（省エネモード）かどうかを判断する（ステップＳ１２）。判断の結果、エコモードでない場合（ステップＳ１２；ｎｏ）は、操作パネル（表示部１５）に表示されているその他の処理に移行する。
【００４６】
エコモードである場合（ステップＳ１２；ｙｅｓ）は、モード番号（例えば、モード１は、設定値が関数であたえられる場合、モード２は、輝度レベルの設定を優先する場合、モード３は、音量レベルの設定を優先する場合等を表す）を表示し、ユーザに対して、モード番号の選択を促す（ステップＳ１３）。
【００４７】
例えば、モード１が選択された場合、テーブルから読みだされた関数のパラメータ等の表示、設定条件（センサから情報に基づいたデータ）等を表示する（ステップＳ１４）。
【００４８】
ユーザにより操作されたｕｐ／ｄｏｗｎスイッチがどちらを選択したかどうかを判定する（ステップＳ１５）。ｕｐの場合（ステップＳ１５；ｙｅｓ）、制御部１６の輝度制御手段及び音量制御手段は、輝度、音量レベルを上げるように指令する（ステップＳ１６）。ｄｏｗｎの場合（ステップＳ１５；ｎｏ）、制御部１６の輝度制御手段及び音量制御手段は、輝度、音量レベルを下げるように指令する（ステップＳ１７）。
【００４９】
次に、設定終了したかを判断し（ステップＳ１８）、設定終了の場合と判断した場合には（ステップＳ１８；ｙｅｓ）、ステップＳ１０に戻る。
【００５０】
設定終了でない場合（ステップＳ１９；ｎｏ）は、ステップＳ１５に戻り、処理を繰り返す。
【００５１】
次に、モード２又は３が選択された場合は、所定の設定値にマニュアル制御を行うことはせずに、直接設定するモードである。
【００５２】
テーブルの読み込み及び設定条件の表示を行い（ステップＳ１９、２０）、制御部１６の輝度制御手段及び音量制御手段は、輝度、音量レベルをテーブルから読み出した値を設定する（ステップＳ２１）。
【００５３】
次に、設定がｏｋであるかどうかを表示し、ユーザに対してその判断をさせ、ＯＫ／ＮＯの判断結果を判定し（ステップＳ２２）、ＯＫであれば（ステップＳ；ｙｅｓ）、ステップＳ１０に戻る。また、ＯＫでなければ（ステップＳ；ｎｏ）、設定値が適切でないという判定となり、ステップＳ１３に戻り、モード番号の変更を行うようにする。
【００５４】
本実施形態では、モード１から３までを示しているが、周囲の環境条件から考慮しても、各設定レベルが標準、最大、最低の３つで、組み合わせて９つ程度の基本クラスに分けるのが妥当であると考えられる。
【００５５】
尚、本発明に係る液晶テレビは、上記した実施の形態に限定されるものではなく、本発明の要旨を逸脱しない範囲内において種々変更を加え得ることは勿論である。
【図面の簡単な説明】
【００５６】
【図１】本発明に係る液晶テレビの基本ブロック図である。
【図２】音量レベルと輝度レベルが線形的な相関性を有する場合を示した図である。
【図３】本実施形態に係る液晶テレビの動作を説明するフローチャートである。
【符号の説明】
【００５７】
１０  チューナ
１１  検波回路
１２  音声処理回路
１３  スピーカ
１４  映像処理回路
１５  表示部
１６  制御部
１７  受光回路
１８  リモコン
１９  センサ
【図１】
0004749839.tif 000002
【図２】
0004749839.tif 000003
【図３】
0004749839.tif 000004